(57)【要約】【課題】本発明は加湿装置および加湿機能付空気清浄装置に関するもので、加湿能力を向上させることができるものである。【解決手段】そしてこの目的を達成するために本発明は、吸気口１と排気口２を有する本体ケース３と、この本体ケース３内に設けられた加湿手段４を備え、この加湿手段４は一定量の水が溜まった水槽１３と、この水槽１３の水に周縁部の一部が常に浸漬した円板状の加湿フィルター部７と、この加湿フィルター部７を固定し外周部に給水部１０を備えた加湿フィルター枠部９と加湿フィルター部７を回転させる回転手段６とから形成され、加湿フィルター部７を吸気口１から排気口２へ空気を送風する送風手段５の上流側に設け、加湿フィルター枠部９と水槽１３との間に水流抑制手段１１を設けたものである。【選択図】図１
2010255946.tif 000002
【特許請求の範囲】
【請求項１】
吸気口と排気口を有する本体ケースと、この本体ケース内に設けられた加湿手段を備え、この加湿手段は一定量の水が溜まった水槽と、この水槽の水に周縁部の一部が常に浸漬した円板状の加湿フィルター部と、この加湿フィルター部を固定し外周部に給水部を備えた加湿フィルター枠部と前記加湿フィルター部を回転させる回転手段とから形成され、前記加湿フィルター部を前記吸気口から前記排気口へ空気を送風する送風手段の上流側に設け、前記加湿フィルター枠部と前記水槽との間に水流抑制手段を設けた加湿装置。
【請求項２】
水流抑制手段は、前記水槽の底面から上方に突出した突起部である請求項１記載の加湿装置。
【請求項３】
水流抑制手段である前記突起部は、前記加湿フィルター部の回転軸方向に対して垂直方向に延びた板形状である請求項２記載の加湿装置。
【請求項４】
水流抑制手段である前記突起部は、前記加湿フィルター部の回転軸方向で、前記水槽の中央部に位置した構成である請求項２または３のいずれかに記載の加湿装置。
【請求項５】
水流抑制手段である前記突起部の上端部と前記加湿フィルター部の下面部との距離が、ほぼ同じである請求項２〜４のいずれかに記載の加湿装置。
【請求項６】
水流抑制手段である前記突起部の両側端部の少なくとも一方は、上端部が水面より高い請求項２〜５のいずれかに記載の加湿装置。
【請求項７】
水槽は天面が開口した略横長箱形状で、横長側面の横長側面部の高さは、両端部より中央部が低い請求項１〜６のいずれかに記載の加湿装置。
【請求項８】
加湿手段の上流側に空気清浄手段を設けた請求項１〜７のいずれかに記載の加湿空気清浄装置。
【発明の詳細な説明】
【技術分野】
【０００１】
本発明は、空気を加湿することのできる加湿装置、および空気を浄化しながら加湿することのできる加湿機能付空気清浄装置に関する。
【背景技術】
【０００２】
従来のこの種の加湿装置の構成は以下のようになっていた。
【０００３】
すなわち、吸気口と排気口を有する本体ケースと、この本体ケース内に設けられた加湿手段を備え、この加湿手段は円板状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記吸気口から前記本体ケース内に吸気した空気を前記加湿フィルターを介して前記排気口へと送風する送風手段を設け、前記加湿フィルター枠は外周部に給水部を備え、この給水部の一部が前記水槽に供給された水に常時浸るように前記加湿フィルター枠を設けると共に、前記回転手段によって前記加湿フィルター枠を回転させることにより前記加湿フィルター枠の前記給水部で前記水槽から水を汲み上げ前記加湿フィルターに給水する構成となっていた。（例えば、これに類似する先行文献は下記特許文献１に記載されている。）
【先行技術文献】
【特許文献】
【０００４】
【特許文献１】特開２００５−２８２９８０号公報
【発明の概要】
【発明が解決しようとする課題】
【０００５】
上記従来例における課題は、本体移動時に水槽内の水が跳ね落ちるということであった。
【０００６】
すなわち、従来の物においては、加湿フィルターに給水する水を水槽内に一定量溜めているので、本体を移動する時に本体が揺れることによって、水槽内の水が揺れ、その揺れによって水が跳ねが発生し、その跳ねた水が水槽から落下することが起こり易いものであった。
【０００７】
そこで本発明は、本体移動時における、水槽内の水の跳ね落ちを抑制することを目的とするものである。
【課題を解決するための手段】
【０００８】
そしてこの目的を達成するために本発明は、吸気口と排気口を有する本体ケースと、この本体ケース内に設けられた加湿手段を備え、この加湿手段は一定量の水が溜まった水槽と、この水槽の水に周縁部の一部が常に浸漬した円板状の加湿フィルター部と、この加湿フィルター部を固定し外周部に給水部を備えた加湿フィルター枠部と前記加湿フィルター部を回転させる回転手段とから形成され、前記加湿フィルター部を前記吸気口から前記排気口へ空気を送風する送風手段の上流側に設け、前記加湿フィルター枠部と前記水槽との間に水流抑制手段を設けたものであり、これにより、初期の目的を達成するものである。
【発明の効果】
【０００９】
以上のように本発明は、吸気口と排気口を有する本体ケースと、この本体ケース内に設けられた加湿手段を備え、この加湿手段は一定量の水が溜まった水槽と、この水槽の水に周縁部の一部が常に浸漬した円板状の加湿フィルター部と、この加湿フィルター部を固定し外周部に給水部を備えた加湿フィルター枠部と前記加湿フィルター部を回転させる回転手段とから形成され、前記加湿フィルター部を前記吸気口から前記排気口へ空気を送風する送風手段の上流側に設け、前記加湿フィルター枠部と前記水槽との間に水流抑制手段を設けたものであり、本体移動時における、水槽内の水の跳ね落ちを抑制することができるものである。
【００１０】
すなわち、一定量の水が溜まった水槽と、この水槽の水に周縁部の一部が常に浸漬した円板状の加湿フィルター部を備え、この加湿フィルター部と水槽との間に水流抑制手段を設けたので、本体移動時に本体が揺れることによって、水槽内の水が揺れても、加湿フィルター部と水槽との間を行き来する水の量が抑制されるので、水の揺れが加湿フィルター部と水槽との間を伝わりにくくなり、結果として、水の揺れによる水跳ねの発生が低減され、跳ねた水が水槽から落下することを抑制する。
【００１１】
これらの結果により、本体移動時における、水槽内の水の跳ね落ちを抑制させることができるものである。
【図面の簡単な説明】
【００１２】
【図１】本発明の実施の形態１の加湿機能付空気清浄装置の概略側面図
【図２】本発明の実施の形態１の加湿機能付空気清浄装置の概略断面図
【図３】本発明の実施の形態１の加湿手段の概略図
【図４】本発明の実施の形態１の水流抑制手段の概略図
【図５】本発明の実施の形態１加湿フィルターの概略断面図
【発明を実施するための形態】
【００１３】
以下、本実施形態を添付図面を用いて説明する。
【００１４】
（実施の形態１）
図１、図２、図３、図４および図５に示すように、本実施形態の加湿装置は、側面に吸気口１と天面に排気口２を有する本体ケース３と、この本体ケース３内に加湿手段４と送風手段５とを備えている。
【００１５】
加湿手段４は、放湿部分と水供給部分と、この放湿部分を回転させる回転手段６とから形成されている。放湿部分は円板状の加湿フィルター部７と、この加湿フィルター部７を固定する略円環形状の加湿フィルター枠部９とから形成されており、加湿フィルター枠部９は外周部に給水部１０を備え、中央部に回転軸部１６を備えている。水供給部分は、天面が開口した略横長箱形状の水槽１３と、この水槽１３に一定量の水を供給する水タンク１４とから形成している。この水タンク１４は、略横長箱形状の水槽１３の一方側短手辺部側に位置し、略縦長箱形状で下面に弁部を備えており、この弁部から水タンク１４内の水を水槽１３に供給するものである。
【００１６】
ここで、水槽１３の長手辺部の側壁部の上端である長手側壁上端部より上方に伸びた軸受け部１５に、加湿フィルター枠部９中央部の回転軸部１６を装着することにより、加湿フィルター枠部９の給水部１０、および加湿フィルター部７周縁部の一部が、水槽１３の水に常に浸漬すると共に、回転自在に設けられるものである。この回転自在に設けた加湿フィルター枠部９および加湿フィルター部７を回転手段６である電動機１７によって回転させるものである。
【００１７】
送風手段５は、加湿フィルター部７の下流側に備えており、吸気口１から本体ケース３内に吸気した空気を加湿フィルター部７、送風ファンを介して排気口２へと送風するものである。
【００１８】
以上のような構成での加湿動作について説明する。加湿フィルター枠部９の給水部１０と加湿フィルター部７の周縁部の一部が水槽１３に供給された水に常時浸るように加湿フィルター枠部９を設けており、その状態で加湿フィルター枠部９を回転手段６によって回転させる。その回転によって加湿フィルター枠部９の給水部１０で、水タンク１４から水槽１３へ一定量供給された水を汲み上げ、加湿フィルター部７に給水し、加湿フィルター部７に水分を含ませる。そして送風ファンによって吸気口１から本体ケース３内に吸気した空気を加湿フィルター部７へ送風することにより空気を加湿し、その加湿した空気を排気口２へと送風するものである。
【００１９】
本実施形態における特徴は、加湿手段の水供給部分である水槽１３の構造である。具体的には、水槽１３は天面が開口した略横長箱形状で、加湿フィルター枠部９と水槽１３の底面との間に水流抑制手段１１を設けたものである。つまり、水槽は、天面が開口した略横長箱形状で、長手側壁上端部より上方に伸びた軸受け部１５に、加湿フィルター枠部９の回転軸部１６を装着することにより、加湿フィルター枠部９の給水部１０、および加湿フィルター部７周縁部の一部が水槽１３の水に常に浸漬すると共に、加湿フィルター枠部９である給水部１０の外周面と水槽１３の底面との間に、水流抑制手段１１を設けたものである。
【００２０】
すなわち、水槽内の水を加湿フィルター部７と加湿フィルター枠部９と、水流抑制手段１１によって、加湿フィルター部７の風路風下側の風下側水部と、加湿フィルター部７の風路風上側の風上側水部とに分けるものである。これによって、本体移動時に本体が揺れ、水槽１３内の水が揺れても、風上側水部と風下側水部の水が、加湿フィルター枠部９と水槽１３との間を行き来することが抑制されるので、水の揺れが加湿フィルター枠部９と水槽１３との間を伝わりにくくなり、結果として、水の揺れによる水跳ねの発生が低減され、跳ねた水が水槽１３から落下することを抑制するものである。
【００２１】
これらの結果により、本体移動時における、水槽１３内の水の跳ね落ちを抑制させることができるものである。
【００２２】
また、水流抑制手段１１は、水槽１３の底面から上方に突出した突起部１１ａである。具体的には、水流抑制手段１１である突起部１１ａは、加湿フィルター部７の回転軸方向に対して垂直方向に延びた板形状である。つまり、水流抑制手段１１である突起部１１ａは、加湿フィルター部７とほぼ平行に水槽１３の底面から上方垂直方向に延びた板形状であり、この板形状の突起部１１ａ上端部と加湿フィルター枠部９外周面との間に連通路を備えたものである。
【００２３】
すなわち、本体移動時に本体が揺れ、水槽１３内の水が揺れ、風上側水部から風下側水部に水が流れようとした場合に、水槽１３の底部分の水は、水流抑制手段１１である板形状の突起部１１ａに当たるので、風上側水部から風下側水部への水の流れが、水流抑制手段１１である板形状の突起部１１ａに当たることにより、水槽１３の底面から突起部１１ａに沿って上方の加湿フィルター枠部９方向に流れを変える。ここで、風上側水部から風下側水部に流れようとする連通路付近の水と衝突するので、風上側水部から風下側水部に連通路を介して流れようとする水の流れが乱れるので、加湿フィルター枠部９と水槽１３との間を行き来する流れが抑制され、水の揺れが加湿フィルター枠部９と水槽１３との間を伝わりにくくすることができる。
【００２４】
また、水流抑制手段１１である突起部１１ａは、加湿フィルター枠部９の回転軸方向で、水槽１３の中央部に位置した構成である。具体的には、水流抑制手段１１である突起部１１ａは、加湿フィルター枠部９の回転軸方向での水槽１３の中央部、つまり略横長箱形状の水槽１３の短手方向の中央部に位置しているものである。
【００２５】
すなわち、略横長箱形状の水槽１３を、短手方向の中央部で風上側水部と風下側水部とに分け、風上側水部と風下側水部の水量をほぼ同じにしているので、本体移動時に本体が揺れ、水槽１３内の水が揺れた場合に、風上側水部と風下側水部との水の揺れの大きさが片側だけが大きくなることなく、ほぼ同じ程度の揺れに抑えることができる。
【００２６】
また、水流抑制手段１１である突起部１１ａの上端部と加湿フィルター部の下面部との距離が、ほぼ同じである。具体的には、水流抑制手段１１である突起部１１ａは、加湿フィルター部７とほぼ平行に水槽１３の底面から上方垂直方向に延びた板形状であり、この板形状の突起部１１ａ上端部と加湿フィルター枠部９外周面との間に連通路を備え、この連通路の上下方向の寸法がほぼ同じものである。つまり、板形状の突起部１１ａ上端部は、加湿フィルター枠部９の回転軸方向に水平視すると、円弧形状である。
【００２７】
すなわち、連通路の上下方向の寸法がほぼ同じなので、風上側水部から風下側水部に水が流れる場合に、突起部１１ａのどの位置においても連通路を水が通過する場合の流水抵抗が同じになり、突起部１１ａの位置による連通路を通過する水量の偏りを抑制することが出来る。
【００２８】
また、水流抑制手段１１である突起部１１ａの両側端部の少なくとも一方は、上端部が水面より高いものである。具体的には、水流抑制手段１１である突起部１１ａは、加湿フィルター部７とほぼ平行に水槽１３の底面から上方垂直方向に延びた板形状であり、水タンク１４と反対側に位置する略横長箱形状の水槽の他方側短手辺部側である突起部１１ａの側端部は、加湿フィルター枠部９より略横長箱形状の水槽１３の短手辺部まで延びたものである。ここで、他方側短手辺部側近傍の突起部１１ａの上端部は、水面より高いものである。
【００２９】
すなわち、他方側短手辺部側近傍の突起部１１ａの上端部は水面より高いので、この水面より高い突起部１１ａ部分では、風上側水部と風下側水部との水の行き来がないので、本体移動時に本体が揺れ、水槽１３内の水が揺れた場合に、風上側水部と風下側水部とでの水の揺れが伝わることを抑制できる。
【００３０】
また、水槽は天面が開口した略横長箱形状で、長手辺部の横長側面部の高さは、中央部より両端部が高く、短手辺部の横短側面部の高さと同じである。具体的には、水槽１３は天面が開口した略横長箱形状で、長手辺部である横長側面部の両端部および短手辺部である横短側面部の高さが、長手辺部である両横長側面部の中央部の高さより高いものである。
【００３１】
すなわち、長手辺部である横長側面部の両端部および短手辺部である横短側面部の高さが、長手辺部である両横長側面部の中央部の高さより高いので、本体移動時に本体が揺れ、水槽１３内の水が揺れた場合に、水槽１３の長手方向に水の揺れが伝わった時には、短手辺部の横短側面部に水が当たり、その水が周囲に跳ねた場合にも、長手辺部である両横長側面部の両端部に当たり、水槽１３内の水が、水槽１３の外に滴下することを抑制できる。また、長手辺部である両横長側面部の中央部が、その他の側面部より低いものであるので、送風ファンによって吸気口１から本体ケース３内に吸気した空気が加湿フィルター部７へ送風される風路が広くなり、加湿能力を向上することが出来る。
【００３２】
また、加湿手段４の上流側に空気清浄手段を設けたものである。具体的には、空気清浄手段は縦長箱形状の濾材が蛇腹形状に折られた空気清浄フィルター８であり、この空気清浄フィルター８が加湿手段４の上流側に位置する構成である。
【００３３】
すなわち、加湿手段４の上流側に空気清浄手段である空気清浄フィルター８が位置するため、室内空気が空気清浄フィルター８を介して、風速がほぼ均一化され加湿手段４に流れる。つまり、加湿手段４に流れ込む室内空気の風速に速い部分、遅い部分の偏りが抑制されるので、運転時に本体を移動する場合に、仮に水槽１３内の水が跳ね上がっても、その跳ね上がった水が送風によって風下側に吹き落とされることを抑制することが出来る。
【産業上の利用可能性】
【００３４】
以上のように本発明は、吸気口と排気口を有する本体ケースと、この本体ケース内に設けられた加湿手段を備え、この加湿手段は一定量の水が溜まった水槽と、この水槽の水に周縁部の一部が常に浸漬した円板状の加湿フィルター部と、この加湿フィルター部を固定し外周部に給水部を備えた加湿フィルター枠部と前記加湿フィルター部を回転させる回転手段とから形成され、前記加湿フィルター部を前記吸気口から前記排気口へ空気を送風する送風手段の上流側に設け、前記加湿フィルター枠部と前記水槽との間に水流抑制手段を設けたものであり、本体移動時における、水槽内の水の跳ね落ちを抑制することができるものである。
【００３５】
すなわち、一定量の水が溜まった水槽と、この水槽の水に周縁部の一部が常に浸漬した円板状の加湿フィルター部を備え、この加湿フィルター部と水槽との間に水流抑制手段を設けたので、本体移動時に本体が揺れることによって、水槽内の水が揺れても、加湿フィルター部と水槽との間を行き来する水の量が抑制されるので、水の揺れが加湿フィルター部と水槽との間を伝わりにくくなり、結果として、水の揺れによる水跳ねの発生が低減され、跳ねた水が水槽から落下することを抑制する。
【００３６】
これらの結果により、本体移動時における、水槽内の水の跳ね落ちを抑制させることができるものである。
【００３７】
従って、家庭用や事務所用などの、加湿装置および加湿機能付空気清浄装置として活用が期待されるものである。
【符号の説明】
【００３８】
１      吸気口
２      排気口
３      本体ケース
４      加湿手段
５      送風手段
６      回転手段
７      加湿フィルター部
８      空気清浄フィルター
９      加湿フィルター枠部
１０    給水部
１１    水流抑制手段
１１ａ  突起部
１３    水槽
【図１】
2010255946.tif 000003
【図２】
2010255946.tif 000004
【図３】
2010255946.tif 000005
【図４】
2010255946.tif 000006
【図５】
2010255946.tif 000007